(57)【要約】      （修正有）【課題】主に水洗トイレの洗浄用水槽や上水用の貯水タンクで、ゴムフロートの不具合等により液体である水がながれ続けることがある。【解決手段】フロートバルブ１５のトラブル等により排水や水漏れが発生した場合、洗浄タンク１１の水位は下がったまま上昇しないことがある。その場合には、時間差でも液面検出管2内の水位は上がらず、やがて基準線７に浮き１が達すると連結体６がのテンションでスイッチ３のスイッチを入れる。それにより発信機８から信号が発せられ、電波の受信をした警報機４が作動し水漏れ等を周知する仕組みとした。【選択図】図７
2014074970.tif 000002
【特許請求の範囲】
【請求項１】
液面を検出する機器と警報機からなるタンクの液漏れ等のお知らせ装置。
【請求項２】
請求項１のタンクの液漏れ等のお知らせ装置において、液面を検出する機器を電気的センサーで構成したタンクの液漏れ等のお知らせ装置。
【請求項３】
請求項１のタンクの液漏れ等のお知らせ装置において、液面を検出する機器で、浮きと液面検出管と流出入調整孔とを具備することを特徴とするタンクの液漏れ等のお知らせ装置。
【請求項４】
請求項１のタンクの液漏れ等のお知らせ装置において、液面を検出する機器と、警報機との間を無線化したタンクの液漏れ等のお知らせ装置。
【請求項５】
請求項３の液面を検出する機器の流出入調整孔を可変ノズルとしたタンクの液漏れ等のお知らせ装置。
【発明の詳細な説明】
【技術分野】
【０００１】
本発明は、液体を入れるタンクで漏水等により液面の高さが基準とした液面より低下したことを感知する検出部および液面の低下が検出した場合に警報機等により知らせる装置に関するものである。
【背景技術】
【０００２】
水洗トイレの洗浄用水槽や上水用の貯水タンクなど、貯留した液体の使用等による減少分を補充する仕組みのタンクおいて、機器の故障、誤作動、不作動により、タンク内の液体の漏水が止まっていないことがあった場合に、従来から、人が事態に気づくまで、放置されるか、または、水位の計測および水位低下の警報を行うのに効果で複雑な機器が必要であった。
【先行技術文献】
【特許文献】
【０００３】
【特許文献１】特許公開２０１１−２０９２４４
【非特許文献】
【０００４】
【非特許文献１】オムロン株式会社製漏水警報器/漏水検知器61F-WLA / 61F-GPN-V50（http://www.fa.omron.co.jp/product/family/566/index_p.html）
【発明の概要】
【発明が解決しようとする課題】
【０００５】
水洗トイレの洗浄タンクや上水用の貯水タンクなどで、漏水や機器の故障・誤作動・不作動により、タンク内の液面が低下し必要以下になっていたり、漏水したまま液体の供給が続いていることがある。
【０００６】
そして、人が発見する場合においても、使用や監視の頻度により、事象の発見までに相当の時間を要する可能性があり、その結果、資源の不要な消費、水道料金等の経済的な負担が発生した。
【０００７】
また、屋上タンクなど人目につき辛い設置場所等の場合、発見までの時間経過が、長時間になることがある。
【０００８】
また、高額な警報機付水位計を設置するには、費用対効果が得られないタンクが多かった。
【課題を解決するための手段】
【０００９】
本発明は、液体の使用や漏出などによりタンク内の液面の低下がおこり、一定時間を超えて液面が定めた基準以下となった場合に、それを、音や光や振動、色の変化または、それらの組み合わせでもって、有線もしくは無線の警報機を作動させ、または情報通信を使用した携帯電話やスマートフォンやモバイル機器へ通知することを特徴とする。
【発明の効果】
【００１０】
本発明は、液面検出部により液面を監視し、液面が基準以下になった時に、警報機より音や光や振動や色の変化またはそれらの組み合わせによりタンクの液面の異常を通知することを特徴とする。
【図面の簡単な説明】
【００１１】
【図１】第１実施形態におけるタンクの液漏等のお知らせ装置の構成図である。
【図２】第２実施形態における、タンクの液漏等のお知らせ装置の構成図である。
【図３】第３実施形態における、タンクの液漏等のお知らせ装置の構成図である。
【図４】第4実施形態における、タンクの液漏等のお知らせ装置の構成図である。
【図５】第５実施形態における、タンクの液漏等のお知らせ装置の構成図である。
【図６】第6実施形態における、タンクの液漏等のお知らせ装置の構成図である。
【図７】設置例１については、水洗トイレの洗浄タンクを例に第２実施形態を設置した場合の構成図である。
【発明を実施するための形態】
【００１２】
本発明の実施の形態について、図面を参照しながら説明する。ただし、電源、配線、電子回路については通常の技術の範囲でなされるものとする。
【００１３】
基本となる実施の形態については第１実施形態を例に説明する。本発明の液体に浮く浮き１と液面検出管２と流出入調整孔５からなる液面検出部を対象とするタンク内に液面検出管２中で正常時の液面の低下が基準線７以下にならないように設置し、液面検出管２内の液面低下が基準線７以下になった場合に、浮き１とスイッチ３のスイッチを連結した連結体６によりスイッチ3が入り、警報機４が作動し周知を行うことにある。
【００１４】
第２実施形態については、スイッチ３を基準線７に置き、液面が基準線７以下に低下した場合に、浮き１の重さでスイッチを入れるとした形態。
【００１５】
また、第３実施形態と第４実施形態については無線化により、スイッチ３のスイッチが入った場合に発信機８から離れた場所への警報機４を設置可能とし、同様に、玄関チャイムや携帯電話、スマートフォン、モバイル機器を警報機として使用することを可能とする。
【００１６】
また、第５実施例と第６実施例については、液面検出と、液体の補充による液面回復の状況分析を電子液面センサー9で行い、それを有線もしくは発信機８により警報機４を作動させるとができるものとした。
【００１７】
また、第１実施形態から第４実施形態までの実施例において、流出入調整孔５を流量調節器にして、流出入の速さを調整することも出来る。
【実施例】
【００１８】
第１実施形態は、本発明の図1の模式図であって、浮き１、液面検出管２、流出入調整孔５で液面検出部を構成し、実際にタンクへ設置し、正常な場合には、液面検出管２の中で液面が基準線7より上になるように調整し設置する。
連結体６については、片方の端を浮き１ともう片方の端をスイッチ３に連結されており、浮き１の低下時に、基準線7まで到達できるように長さが調節されている。液面検出管内２の液面の低下により、浮き1が基準線７以下に達すると、連結体６が伸びきりスイッチ３のスイッチを入れる。
スイッチ３は、警報機４に接続されており、音や光や振動などまたはそれらの組み合わせで漏水等の異常を示す仕組みとなっている。
【００１９】
第２実施形態については、基本的には第１実施形態と同じであるが、連結体６が必要でなく、液面が基準線７以下になった時、浮き１により直接スイッチを入れる仕組みとなっている。
【００２０】
第３実施形態については、第１実施形態のスイッチ３が発信機８のスイッチであり、専用の警報機４のほかにも、無線の玄関チャイムや携帯電話、スマートフォン、モバイル機器等へ周知を行えるようにした仕組みである。
【００２１】
第４実施形態については、第２実施形態のスイッチ３が発信機８のスイッチであり、専用の警報機８のほかにも、無線の玄関チャイムや携帯電話、スマートフォン、モバイル機器等へ周知を行えるようにした仕組みである
【００２２】
第５実施形態については、液面検出部が電子的水位センサー9になっており、一定時間以上の間、液面が基準値７以下になった時に、４の警報機を作動させる仕組みである。
【００２３】
第６実施形態については、第５実施形態に電子的水位センサー9に発信機８を備え、専用の警報機のほかにも、無線の玄関チャイムや携帯電話、スマートフォン、モバイル機器等へ周知を行えるようにした仕組みである。
【００２４】
設置例１については、こういったトラブルの多い水洗トイレを例に本発明の実施例を示す。洗浄タンク１１の構造については、簡略化して図案化した。仕組みを簡潔に説明するとトイレの使用により水洗の操作をすると、まずフロートバルブ15が開き排水管16へ線浄水がトイレ本体に向け流れ出る。その時ポリ球が水位の低下とともに下がり、上水道等に接続された給水管13より水の補充が始まる。その後、一定の量の線浄水を排出後、フロートバルブは閉じて排水は止まり、タンク内の水がたまり始め、満水線17の位置にポリ球が浮かび上がったときに給水管１３からの水の補充が終了するようになっている。本発明に係わるトラブルとして多いのが、フロートバルブ１５の不具合により排水が止まらなくなることである。洗浄タンク１１にトラブルがない場合には、トイレを使用しても液面検出管２の水位は、流出入調整孔５の開き具合により洗浄タンク１１の水位よりゆっくりと下がり始め、基準線７に達する前に、給水管１３からの水の補給により洗浄タンクの水位が上昇すると、液面検出管２の浮き１も上昇し警報機が作動することはない。しかし、フロートバルブのトラブル等により排水や水漏れが発生した場合、洗浄タンク11の水位は下がったまま上昇しないことがある。その場合には、時間差でも液面検出管２内の水位は上がらず、やがて基準線7に浮き１が達すると連結体６がのテンションでスイッチ3のスイッチを入れる。それにより発信機８から信号が発せられ、電波の受信をした警報機４が作動し水漏れ等を周知する仕組みとした本発明。
【００２５】
実施例1から実施例４までの流出入調整孔５で、単位時間当たりの流出入の量を調整できるバルブとした本発明。
【産業上の利用可能性】
【００２６】
本発明は、タンクを使用する一般家庭から事業所、研究所、企業まであらゆる場所で利用可能である。
【符号の説明】
【００２７】
１  浮き
２  液面検出管
３  スイッチ
４  警報機
５  流出入調整孔
６  連結体
７  基準線
８  発信機
9  電子水位センサー付タイマースイッチ
10  取り付け具
11  洗浄タンク
12  ポリ球
13  給水管
14  オーバーフロー管
15  フロートバルブ
16  排水管
17  満水線
【図１】
2014074970.tif 000003
【図２】
2014074970.tif 000004
【図３】
2014074970.tif 000005
【図４】
2014074970.tif 000006
【図５】
2014074970.tif 000007
【図６】
2014074970.tif 000008
【図７】
2014074970.tif 000009